(57)【要約】【課題】  放送を視聴するユーザの期待感を損なうことなく放送データ再生の地域制限が可能な受信端末、放送提供システム、受信端末の制御方法及び放送提供方法を提供する。【解決手段】  本発明は、インターネット６００を介して放送データを受信する受信端末１００であって、前記受信端末の地理情報を取得する地理情報取得ステップと、制御サーバ１００に対して前記地理情報を送信して前記地理情報に基づき放送データの視聴が可能な放送局のリストを取得するリスト取得ステップと、前記放送局リストの中から選択した放送局の番組表データを取得する番組表取得ステップと、前記番組表の中から選択した番組の番組データの配信を要求して前記番組データを再生制御する再生制御ステップとを実行する。【選択図】          図１
2010268403.tif 000002
【特許請求の範囲】
【請求項１】
インターネットを介して放送データを受信する受信端末であって、
前記受信端末の地理情報を取得する地理情報取得手段と、
サーバに対して前記地理情報を送信して前記地理情報に基づき放送の視聴が可能な放送局のリストを取得するリスト取得手段と、
前記放送局リストの中から選択した放送局の番組表データを取得する番組表取得手段と、
前記番組表の中から選択した番組の番組データの配信を要求して前記番組データを再生制御する再生制御手段と、を有する受信端末。
【請求項２】
前記放送データは、ラジオ放送データである請求項１に記載の受信端末。
【請求項３】
前記再生制御手段は、前記地理情報取得手段が取得した地理情報に基づいて前記番組データの配信要求を制限する請求項１または請求項２に記載の受信端末。
【請求項４】
前記地理情報取得手段は、予め定められた設定時間毎に前記地理情報を新たに取得し、
前記再生制御手段は、前記新たに取得した地理情報に基づき前記番組データの再生を制限する請求項１または請求項２に記載の受信端末。
【請求項５】
前記地理情報取得手段は、前記受信端末の位置情報を取得して該取得した受信端末の位置情報に基づいて前記受信端末の地理的な位置を特定して前記受信端末の地理情報を決定する請求項１〜請求項４のいずれかに記載の受信端末。
【請求項６】
前記地理情報取得手段は、ＧＰＳ、携帯基地局、ルーターのＩＰアドレス、無線ＬＡＮ機器間の相互接続性を認証されたことを示すＷｉＦｉのルーターの設置位置のいずれかによって前記受信端末の位置情報を取得して前記受信端末の地理情報を決定する請求項１〜請求項５のいずれかに記載の受信端末。
【請求項７】
前記地理情報取得手段は、所定の地域をグリッド状に区分けして前記受信端末の位置情報から前記グリッド内の位置を特定して該特定されたグリッドに対応する地理内に前記受信端末が存在すると判定して前記地理情報を決定する請求項１〜請求項６のいずれかに記載の受信端末。
【請求項８】
前記地理情報取得手段は、前記受信端末の位置情報を円の中心として該円内に対応する地理内に前記受信端末が存在すると判定して前記地理情報を決定する請求項１〜請求項６のいずれかに記載の受信端末。
【請求項９】
放送データを再生する受信端末に対してインターネットを介して放送データを提供する放送提供システムであって、
放送局の番組表データを入力する入力手段と、
地理情報と該地理情報によって放送の受信の許諾が可能な放送局を予め関連付けて記憶する放送局記憶手段と、
前記受信端末から前記受信端末の地理情報を取得する地理情報取得手段と、
前記放送局記憶手段に記憶された放送局の中から前記地理情報取得手段が取得した受信端末の地理情報に対応する放送局のリストを前記受信端末に送信するリスト送信手段と、
前記放送局のリストの中から前記受信端末によって選択された放送局の番組表データを前記受信端末に送信する番組表送信手段と、を有する放送提供システム。
【請求項１０】
前記放送データは、ラジオ放送データである請求項９に記載の放送提供システム。
【請求項１１】
前記リスト送信手段は、前記放送局記憶手段に記憶された放送局の中から前記地理情報取得手段が取得した受信端末の地理情報に対応する放送局のリストが存在しない場合、前記受信端末の地理情報の近隣の地理情報によって視聴が可能な放送局のリストと前記近隣の地理情報を前記受信端末に送信する請求項９または請求項１０に記載の放送提供システム。
【請求項１２】
インターネットを介して放送データを受信する受信端末の制御方法であって、
前記受信端末の地理情報を取得する地理情報取得ステップと、
サーバに対して前記地理情報を送信して前記地理情報に基づき放送データの視聴が可能な放送局のリストを取得するリスト取得ステップと、
前記放送局リストの中から選択した放送局の番組表データを取得する番組表取得ステップと、
前記番組表の中から選択した番組の番組データの配信を要求して前記番組データを再生制御する再生制御ステップと、を有する受信端末の制御方法。
【請求項１３】
前記放送データは、ラジオ放送データである請求項１２に記載の受信端末の制御方法。
【請求項１４】
前記再生制御ステップは、前記取得した地理情報に基づいて前記番組データの配信要求を制限する請求項１２または請求項１３に記載の受信端末の制御方法。
【請求項１５】
前記地理情報取得ステップは、予め定められた設定時間毎に前記地理情報を新たに取得するステップを含み、
前記再生制御ステップは、前記新たに取得した地理情報に基づき前記番組データの再生を制限するステップを含む請求項１２または請求項１３に記載の受信端末の制御方法。
【請求項１６】
前記地理情報取得ステップは、前記受信端末の位置情報を取得して該取得した受信端末の位置情報に基づいて前記受信端末の地理的な位置を特定して前記受信端末の地理情報を決定するステップを含む請求項１２〜請求項１５のいずれかに記載の受信端末の制御方法。
【請求項１７】
前記地理情報取得手段は、ＧＰＳ、携帯基地局、ルーターのＩＰアドレス、無線ＬＡＮ機器間の相互接続性を認証されたことを示すＷｉＦｉのルーターの設置位置のいずれかによって前記受信端末の位置情報を取得して前記受信端末の地理情報を決定するステップを含む請求項１２〜請求項１６のいずれかに記載の受信端末の制御方法。
【請求項１８】
前記地理情報取得ステップは、所定の地域をグリッド状に区分けして前記受信端末の位置情報から前記グリッド内の位置を特定して該特定されたグリッドに対応する地理内に前記受信端末が存在すると判定して前記地理情報を決定するステップを含む請求項１２〜請求項１７のいずれかに記載の受信端末の制御方法。
【請求項１９】
前記地理情報取得ステップは、前記受信端末の位置情報を円の中心として該円内に対応する地理内に前記受信端末が存在すると判定して前記地理情報を決定するステップを含む請求項１２〜請求項１７のいずれかに記載の受信端末の制御方法。
【請求項２０】
放送データを再生する受信端末に対してインターネットを介して放送データを提供する放送提供方法であって、
放送局の番組表データを入力する入力ステップと、
前記受信端末から前記受信端末の地理情報を取得する地理情報取得ステップと、
地理情報に予め関連付けられた放送局の中から前記地理情報取得ステップで取得した受信端末の地理情報に対応する放送局のリストを前記受信端末に送信するリスト送信ステップと、
前記放送局のリストの中から前記受信端末によって選択された放送局の番組表データを前記受信端末に送信する番組表送信ステップと、
前記番組表の中から選択された番組の番組データの配信を要求して前記番組データを再生制御する再生制御ステップと、を有する放送提供方法。
【請求項２１】
前記放送データは、ラジオ放送データである請求項２０に記載の放送提供方法。
【請求項２２】
前記リスト送信ステップは、前記放送局の中から前記地理情報取得手段が取得した受信端末の地理情報に対応する放送局のリストが存在しない場合、前記受信端末の地理情報の近隣の地理情報によって視聴が可能な放送局のリストと前記近隣の地理情報を前記受信端末に送信する請求項２０または請求項２１に記載の放送提供方法。
【発明の詳細な説明】
【技術分野】
【０００１】
本発明は、受信端末、放送提供システム、受信端末の制御方法及び放送提供方法に関する。
【背景技術】
【０００２】
従来より、アンテナを介して放送波を受信して携帯電話等により放送を視聴するものが提案されている。また近年インターネットの発達によりインターネット等のネットワークを介して放送データを取得して放送を視聴できるものが提案されている。しかし、放送は法律によって電波の聴取可能な地域が制限されているため、どのようにして聴取可能なエリアを限定させるのかという問題があった。このような問題を解決する従来技術として特許文献１及び特許文献２に記載の技術が提案されている。
【０００３】
特許文献１の従来技術は、映像情報を受信装置で受信して受信装置が視聴対象エリア内にいるときにだけ映像情報の視聴が可能な状態に遷移するというものである。また、特許文献２の従来技術は、放送端末が映像情報を取得してこの放送端末の地域が映像情報の視聴を許可された地域である場合に放送端末の出力を許可するというものである。
【先行技術文献】
【特許文献】
【０００４】
【特許文献１】特開２００８−１８２６０４号公報
【特許文献２】特開２００８−２８８８１４号公報
【発明の概要】
【発明が解決しようとする課題】
【０００５】
しかしながら、上記特許文献１及び２に記載の従来技術では、放送を視聴するユーザは放送データを受信した直後に視聴を制限されてしまうため、せっかく視聴が可能であると思って楽しみにしていたのにそれまでの操作が無駄になってしまうという問題があった。
【０００６】
そこで、本発明は、上記の問題に鑑みなされたものであって、放送を視聴するユーザの期待感を損なうことなく放送データ再生の地域制限が可能な受信端末、放送提供システム、受信端末の制御方法及び放送提供方法を提供することを目的とする。
【課題を解決するための手段】
【０００７】
上記課題を解決するために、第１発明の受信端末は、インターネットを介して放送データを受信する受信端末であって、前記受信端末の地理情報を取得する地理情報取得手段と、サーバに対して前記地理情報を送信して前記地理情報に基づき放送の視聴が可能な放送局のリストを取得するリスト取得手段と、前記放送局リストの中から選択した放送局の番組表データを取得する番組表取得手段と、前記番組表の中から選択した番組の番組データの配信を要求して前記番組データを再生制御する再生制御手段とを有する。本発明によれば、ユーザには視聴が可能な放送局のリストが提供されるため、必ず受信した放送を視聴することができる。これにより放送データを受信した直後に視聴を制限されることはないため、視聴を希望するユーザの期待感を損なうことはない。
【０００８】
上記第１発明において、前記放送データは、ラジオ放送データである。本発明によれば、現在あまり聞かれていないラジオ放送を視聴できる機会を与えることができる。
【０００９】
上記第１発明において、前記再生制御手段は、前記地理情報取得手段が取得した地理情報に基づいて前記番組データの配信要求を制限する。本発明によれば、受信端末の位置がその番組を視聴できない位置に移動した場合であっても番組データの配信要求を制限することができる。
【００１０】
上記第１発明において、前記地理情報取得手段は、予め定められた設定時間毎に前記地理情報を新たに取得し、前記再生制御手段は、前記新たに取得した地理情報に基づき前記番組データの再生を制限する。本発明によれば、番組データを取得後にその放送番組データを視聴できない位置に移動した場合に番組の視聴を制限できる。
【００１１】
上記第１発明において、前記地理情報取得手段は、前記受信端末の位置情報を取得して該取得した受信端末の位置情報に基づいて前記受信端末の地理的な位置を特定して前記受信端末の地理情報を決定する。本発明によれば受信端末側で放送局に対応した地理的な位置を特定するため、サーバ側の処理が軽減される。
【００１２】
上記第１発明において、前記地理情報取得手段は、ＧＰＳ、携帯基地局、ルーターのＩＰアドレス、無線ＬＡＮ機器間の相互接続性を認証されたことを示すＷｉＦｉのルーターの設置位置のいずれかによって前記受信端末の位置情報を取得して前記受信端末の地理情報を決定する。
【００１３】
上記第１発明において、前記地理情報取得手段は、所定の地域をグリッド状に区分けして前記受信端末の位置情報から前記グリッド内の位置を特定して該特定されたグリッドに対応する地理内に前記受信端末が存在すると判定して前記地理情報を決定する。本発明によれば、詳細な地域を特定することができる。
【００１４】
上記第１発明において、前記地理情報取得手段は、前記受信端末の位置情報を円の中心として該円内に対応する地理内に前記受信端末が存在すると判定して前記地理情報を決定する。本発明によれば、円の大きさに応じて、特定の地域内判定の処理を早くすることができる。
【００１５】
第２発明の放送提供システムは、放送データを再生する受信端末に対してインターネットを介して放送データを提供する放送提供システムであって、放送局の番組表データを入力する入力手段と、地理情報と該地理情報によって放送の受信の許諾が可能な放送局を予め関連付けて記憶する放送局記憶手段と、前記受信端末から前記受信端末の地理情報を取得する地理情報取得手段と、前記放送局記憶手段に記憶された放送局の中から前記地理情報取得手段が取得した受信端末の地理情報に対応する放送局のリストを前記受信端末に送信するリスト送信手段と、前記放送局のリストの中から前記受信端末によって選択された放送局の番組表データを前記受信端末に送信する番組表送信手段とを有する。
【００１６】
本発明によれば、ユーザには視聴が可能な放送局のリストが提供されるため、必ず受信した放送を視聴することができる。これにより放送データを受信した直後に視聴を制限されることはないため、視聴を希望するユーザの期待感を損なうことはない。
【００１７】
上記第２発明において、前記放送データは、ラジオ放送データである。本発明によれば、現在あまり聞かれていないラジオ放送を視聴できる機会を与えることができる。
【００１８】
上記第２発明において、前記リスト送信手段は、前記放送局記憶手段に記憶された放送局の中から前記地理情報取得手段が取得した受信端末の地理情報に対応する放送局のリストが存在しない場合、前記受信端末の地理情報の近隣の地理情報によって視聴が可能な放送局のリストと前記近隣の地理情報を前記受信端末に送信する。本発明によれば、ユーザは近隣の地域に移動することによって視聴が可能な放送局を知ることができる。
【００１９】
第３発明の受信端末の制御方法は、インターネットを介して放送データを受信する受信端末の制御方法であって、前記受信端末の地理情報を取得する地理情報取得ステップと、サーバに対して前記地理情報を送信して前記地理情報に基づき放送データの視聴が可能な放送局のリストを取得するリスト取得ステップと、前記放送局リストの中から選択した放送局の番組表データを取得する番組表取得ステップと、前記番組表の中から選択した番組の番組データの配信を要求して前記番組データを再生制御する再生制御ステップとを有する。
【００２０】
本発明によれば、ユーザには視聴が可能な放送局のリストが提供されるため、必ず受信した放送を視聴することができる。これにより放送データを受信した直後に視聴を制限されることはないため、視聴を希望するユーザの期待感を損なうことはない。上記第３発明において、前記放送データはラジオ放送データであるのが好ましい。
【００２１】
上記第３発明において、前記再生制御ステップは、前記取得した地理情報に基づいて前記番組データの配信要求を制限する。本発明によれば、受信端末の位置がその番組を視聴できない位置に移動した場合であっても番組データの配信要求を制限することができる。
【００２２】
上記第３発明において、前記地理情報取得ステップは、予め定められた設定時間毎に前記地理情報を新たに取得するステップを含み、前記再生制御ステップは、前記新たに取得した地理情報に基づき前記番組データの再生を制限するステップを含む。本発明によれば、番組データを取得後にその放送番組データを視聴できない位置に移動した場合に番組の視聴を制限できる。
【００２３】
上記第３発明において、前記地理情報取得ステップは、前記受信端末の位置情報を取得して該取得した受信端末の位置情報に基づいて前記受信端末の地理的な位置を特定して前記受信端末の地理情報を決定するステップを含む。本発明によれば受信端末側で放送局に対応した地理的な位置を特定するため、サーバ側の処理が軽減される。
【００２４】
上記第３発明において、前記地理情報取得手段は、ＧＰＳ、携帯基地局、ルーターのＩＰアドレス、無線ＬＡＮ機器間の相互接続性を認証されたことを示すＷｉＦｉのルーターの設置位置のいずれかによって前記受信端末の位置情報を取得して前記受信端末の地理情報を決定するステップを含む。
【００２５】
上記第３発明において、前記地理情報取得ステップは、所定の地域をグリッド状に区分けして前記受信端末の位置情報から前記グリッド内の位置を特定して該特定されたグリッドに対応する地理内に前記受信端末が存在すると判定して前記地理情報を決定するステップを含む。本発明によれば、詳細な地域を特定することができる。
【００２６】
上記第３発明において、前記地理情報取得ステップは、前記受信端末の位置情報を円の中心として該円内に対応する地理内に前記受信端末が存在すると判定して前記地理情報を決定するステップを含む。本発明によれば、円の大きさに応じて、特定の地域内判定の処理を早くすることができる。
【００２７】
第４発明の放送提供方法は、放送データを再生する受信端末に対してインターネットを介して放送データを提供する放送提供方法であって、放送局の番組表データを入力する入力ステップと、前記受信端末から前記受信端末の地理情報を取得する地理情報取得ステップと、地理情報に予め関連付けられた放送局の中から前記地理情報取得ステップで取得した受信端末の地理情報に対応する放送局のリストを前記受信端末に送信するリスト送信ステップと、前記放送局のリストの中から前記受信端末によって選択された放送局の番組表データを前記受信端末に送信する番組表送信ステップと、前記番組表の中から選択された番組の番組データの配信を要求して前記番組データを再生制御する再生制御ステップとを有する。
【００２８】
本発明によれば、ユーザには視聴が可能な放送局のリストが提供されるため、必ず受信した放送を視聴することができる。これにより放送データを受信した直後に視聴を制限されることはないため、視聴を希望するユーザの期待感を損なうことはない。上記第４発明において、前記放送データはラジオ放送データである。
【００２９】
上記第４発明において、前記リスト送信ステップは、前記放送局の中から前記地理情報取得手段が取得した受信端末の地理情報に対応する放送局のリストが存在しない場合、前記受信端末の地理情報の近隣の地理情報によって視聴が可能な放送局のリストと前記近隣の地理情報を前記受信端末に送信する。本発明によれば、ユーザは近隣の地域に移動することによって視聴が可能な放送局を知ることができる。
【発明の効果】
【００３０】
本発明によれば、放送を視聴するユーザの期待感を損なうことなく放送データ再生の地域制限が可能な受信端末、放送提供システム、受信端末の制御方法及び放送提供方法を提供することができる。
【図面の簡単な説明】
【００３１】
【図１】本発明の実施形態に係るシステムの概略図である。
【図２】本発明の実施形態に係る受信端末のブロック図である。
【図３】放送局の放送局テーブルである。
【図４】放送局リストテーブルを示す図である。
【図５】ＧＰＳを利用した地理情報判定テーブルである。
【図６】本発明の実施形態に係るシステムの動作手順を示すシーケンス図である。
【図７】制御サーバの番組表の送信処理フローチャートである。
【図８】本発明の実施形態に係る受信端末の動作フローチャートである。
【図９】受信端末の画面を示す図である。
【図１０】本発明の実施形態に係る受信端末の地理情報を決定する処理フローチャートである。
【図１１】受信端末の再生制御の処理フローチャートである。
【図１２】音源配信サーバの処理フローチャートである。
【図１３】地理情報判定テーブルの他の例である。
【図１４】地理情報判定テーブルの他の例である。
【図１５】地理情報判定テーブルの他の例である。
【図１６】地域の境界の判定処理について説明するための図である。
【発明を実施するための形態】
【００３２】
以下、本発明に係る好適な実施形態について、図面を参照しながら詳細に説明する。
【００３３】
図１は、本発明の実施形態に係るシステムの概略図である。放送提供システム１は、ラジオ放送データを再生する受信端末１００に対してインターネットを介してラジオ放送データを提供するものである。図１に示すように、放送提供システム１は、受信端末１００、音源配信サーバ２００、放送局ＷＥＢサーバ３００、制御サーバ４００を有する。これらはインターネット６００を介して接続されている。
【００３４】
受信端末１００は、携帯電話としての機能とインターネット６００を介して受信したラジオ放送データを再生する機能とを有する。
【００３５】
放送局ＷＥＢサーバ３００は、放送する番組表データを記憶したメモリを有する。この放送局ＷＥＢサーバ３００は、放送局毎に設けられていても良い。音源配信サーバ２００は、ラジオ放送を視聴するユーザに対してインターネット６００を介してラジオ放送番組データを配信するものである。
【００３６】
制御サーバ４００は、放送提供システム１の制御を行う。制御サーバ４００のメモリには、地理情報と地理情報によって放送が可能な放送局を予め関連付けて記憶されている。音源配信サーバ２００、放送局ＷＥＢサーバ３００、制御サーバ４００、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスク装置等を備えており、ＣＰＵがプログラムを実行することにより各サーバの機能を実現する。
【００３７】
図２は、本発明の実施形態に係る受信端末のブロック図である。図２に示すように、受信端末１００は、アンテナ１０１、無線回路１０２、音声デコーダ１０３、着信音源生成部１０4、ミキサ１０５、Ｄ／Ａ変換器１０６、１０７、アンプ１０８、１０９、スピーカ１１０、１１１、マイクロホン１１２、アンプ１１３、Ａ／Ｄ変換器１１４、音声エンコーダ１１５、アンテナ１１６、放送受信回路１１７、多重信号分離器１１８、音声デコーダ１１９、映像デコーダ１２０、データ放送処理部１２１、表示制御部１２２、表示部１２３、ＭＰＵ（ｍｉｃｒｏ  ｐｒｏｃｅｓｓｉｎｇ  ｕｎｉｔ）１２４、ＧＰＳアンテナ１３０を備えている。
【００３８】
アンテナ１０１は、携帯無線通信によって音声信号を送受信する音声通信、インターネット６００上のサイトを閲覧するネットワーク通信を行うためのものである。このアンテナ１０１を介してインターネット６００上の音源配信サーバ２００、制御サーバ４００にアクセスする。無線回路１０２は、携帯電話用の無線回路として機能する。音声デコーダ１０３は、携帯無線通信による受信信号を復号化して非圧縮のデジタル音声信号に変換する。
【００３９】
着信音源生成部１０４は、着信を報知するデジタル着信音源信号を生成する。ミキサ１０５は、デジタル着信音源信号と音声デコーダ１１９から出力されるラジオデジタル音声信号を混合する。Ｄ／Ａ変換器１０６、１０７は、デジタル音声信号をアナログ音声信号に変換する。アンプ１０８、１０９は、アナログ信号を増幅する。スピーカ１１０、１１１は、増幅された音声信号を拡声する。マイクロホン１１２は、利用者の音声を入力する。Ａ／Ｄ変換器１１４は、増幅したアナログ音声信号をデジタル音声信号に変換する。音声エンコーダ１１５は、デジタル音声信号を符号化する。
【００４０】
次に、ラジオ放送の受信機能の部分を説明する。アンテナ１１６は、デジタル放送を受信するためのものである。放送受信回路１１７は、指定された放送局のチャンネルを選局してＴＳ（Ｔｒａｎｓｐｏｒｔ  Ｓｔｒｅａｍ）信号と呼ばれる多重信号を抽出する。多重信号分離器１１８は、抽出された多重化信号から音声、映像、データ放送の各信号を分離する。音声デコーダ１１９は、分離した音声信号を復号化して非圧縮のデジタル音声信号に変換する。映像デコーダ１２０は、分離した映像信号を復号化して非圧縮のデジタル映像信号に変換する。データ放送処理部１２１は、分離したデータ放送信号を処理する。
【００４１】
表示制御部１２２は、映像デコーダ１２０から出力されるデジタル放送信号から色信号及び輝度信号を分離して表示部１２３に表示する映像を制御する。ＭＰＵ１２４は、マイクロプロセッサユニットであって、各部全体を制御する機能と、インターネットを介して受信したラジオ放送を再生する機能と、ＧＰＳアンテナ１３０等を介して受信端末の位置情報を取得して受信端末の地理的な位置を特定する機能等を制御する。
【００４２】
次にある放送局の放送局テーブルについて説明する。図３は、放送局Ａの放送局テーブルである。この放送局テーブルは放送局ＷＥＢサーバ３００内に記憶されている。制御サーバ４００は、放送局ＷＥＢサーバ３００から取得した番組表データをメモリに記憶する。ここでは、番組表内には、放送局Ａで放送される番組Ａ〜番組Ｆが含まれている。
【００４３】
次に、放送局リストテーブルについて説明する。図４は、放送局リストテーブルを示す図である。この放送局リストテーブルは、制御サーバ４００内に予め記憶されている。制御サーバ４００は、地理情報とこの地理情報によって放送の受信の許諾が可能な放送局を予め関連付けて記憶している。例えば、地域Ａと地域Ｂでは放送局ａの放送の視聴が許諾されており、地域Ｂでは放送局ｂの放送の視聴が許諾されている。
【００４４】
制御サーバ４００は、放送局リストテーブルと受信端末１００から受信した地理情報を参照して、受信端末１００の地理情報によって放送が可能な放送局を検索して放送局リストを作成する。例えば、制御サーバ４００は、受信端末１００から地域Ａの地理情報を受信した場合、地域Ａにて放送が許諾されている放送局ａと放送局ｄを含む放送局リストを作成して受信端末１００へ送信する。
【００４５】
次に、ＧＰＳを利用した地理情報判定テーブルについて説明する。図５は、ＧＰＳを利用した地理情報判定テーブルである。この地理情報判定テーブルは受信端末１００のＭＰＵ１２４内に予め格納されている。この地理情報判定テーブルは、地理情報（地域Ａ〜地域Ｚ）と緯度情報の範囲と経度情報の範囲が関連付けられている。受信端末１００は、ＧＰＳアンテナ１３０を介してＭＰＵ１２４が取得する緯度情報と経度情報からなる位置情報に基づいて前記地理情報判定テーブルを参照して、受信端末１００の地理情報を決定する。
【００４６】
例えば、受信端末１００は、ＧＰＳアンテナ１３０を介してＭＰＵ１２４が取得する緯度情報と経度情報が、地域Ａに関連付けられた緯度情報と経度情報の範囲内に有る場合には、受信端末１００は、地域Ａにいると判断し、地域Ａの地理情報を選択する。尚、図５の地理情報判定テーブルは制御サーバ４００から受信端末１００内にダウンロードして使用してもよい。
【００４７】
図６は、本発明の実施形態に係るシステムの動作手順を示すシーケンス図である。制御サーバ４００は、番組表データを放送局ＷＥＢサーバ３００に要求する（ステップＳ１０１）。放送局ＷＥＢサーバ３００は、要求された番組表を制御サーバ４００に送信する（ステップＳ１０２）。これによって制御サーバ４００には放送局の番組表データが入力される。受信端末１００は、ＧＰＳアンテナ１３０から受信端末１００の位置情報を取得し、受信端末１００の地理的な位置を受信端末の地理情報として制御サーバ４００に送信する（ステップＳ１０３）。
【００４８】
制御サーバ４００は、受信端末の地理情報にて受信が許諾される放送局のリストを生成して受信端末１００に送信する（ステップＳ１０４）。受信端末１００は、放送局リストから放送局を選択し、選択された放送局の番組表データを制御サーバ４００に要求する（ステップＳ１０５）。制御サーバ４００は、放送局のリストの中から受信端末１００によって選択された放送局の番組表データを受信端末１００に送信する（ステップＳ１０６）。受信端末１００は、音源配信サーバ２００から音のストリームを受信するために接続要求を行う（ステップＳ１０７）。音源配信サーバ２００は、受信端末１００からの接続要求に応じて指定された放送局の音のストリームを配信する（ステップＳ１０８）。受信端末１００は、制御サーバ４００からの番組情報等の表示と並行して、音源配信サーバ２００から配信されてくる音のストリームを再生する。
【００４９】
次に、制御サーバの番組表の送信処理について説明する。図７は、制御サーバの番組表の送信処理フローチャートである。制御サーバ４００は、受信端末１００から受信端末の地理情報を受信した場合（ステップＳ２０１のＹＥＳ）、制御サーバ４００内に記憶された放送局の中から取得した受信端末の地理情報にて受信が許諾されている放送局があるかどうかを判断する（ステップＳ２０２）。
【００５０】
制御サーバ４００は、地理情報にて受信が許諾されている放送局がある場合に（ステップＳ２０２のＹＥＳ）、地理情報にて受信が許諾される放送局リストを生成して受信端末１００に送信する（ステップＳ２０３）。次に、制御サーバ４００は、選択放送局の番組表の要求を受信端末１００から受け付けた場合（ステップＳ２０４のＹＥＳ）、選択された放送局の番組表データを受信端末１００に送信する（ステップＳ２０５）。
【００５１】
また、制御サーバ４００は、放送局の中から取得した受信端末の地理情報に対応する放送局のリストが存在しない場合（ステップＳ２０２のＮＯ）、受信端末の地理情報の近隣の地理情報によって視聴が可能な放送局のリストと近隣の地理情報を受信端末１００に送信する（ステップＳ２０６）。例えば、受信端末の地理情報が図４のテーブルには存在しない地域Ｚにいる場合、受信端末の地理情報の地域Ｚの近隣の地域が地域Ｆである場合、この地域Ｆの地理情報によって視聴が可能な放送局ｆのリストと近隣の地域Ｆの地理情報を受信端末１００に送信する（ステップＳ２０６）。これによりユーザは近隣の地域に移動することによって視聴が可能な放送局を知ることができる。
【００５２】
次に、本発明の実施形態に係る受信端末の動作について説明する。図８は、本発明の実施形態に係る受信端末の動作フローチャートである。図９は、受信端末の画面を示す図である。受信端末１００は、地理情報取得処理において、地理情報を取得する（ステップＳ３０１）。具体的には、受信端末１００は、ＧＰＳアンテナ１３０によって受信端末の位置情報を取得て、図５のテーブルを参照して受信端末の地理的な位置を特定して地理情報を決定する。次に、受信端末１００は、地理情報を制御サーバ４００へ送信する（ステップＳ３０２）。
【００５３】
受信端末１００は、制御サーバ４００に対して地理情報を送信して地理情報に基づき視聴が可能な放送局リストを取得する（ステップＳ３０３）。受信端末１００は、取得した放送局リストを表示する（ステップＳ３０４）。受信端末１００は、ユーザによって選択された放送局の番組表を要求する（ステップＳ３０５）。受信端末１００は、放送局リストの中から選択された放送局の番組表データを制御サーバ４００から取得する（ステップＳ３０６）。受信端末１００は、選択放送局の番組表を表示する（ステップＳ３０７）。図９ではある放送局の番組（例えばＡＡＡＡＡＡＡ）が表示されている。
【００５４】
受信端末１００は、選択放送局の番組表の中から番組を選択する（ステップＳ３０８）。受信端末１００は、ストリーミング要求処理において、番組表の中から選択した番組の番組データの配信を要求する（ステップＳ３０９）。受信端末１００は、選択番組のストリーム配信を受けて、ラジオ番組放送データを再生制御する（ステップＳ３１０）。尚、受信端末１００は、受信端末１００がステップＳ３０１で取得した地理情報とは別の地域に移動したと判断した場合には番組データの配信要求を制限する。これによって受信端末１００の移動後において視聴制限を行うことができる。
【００５５】
次に、受信端末による地理情報決定処理について説明する。図１０は本発明の実施形態に係る受信端末の地理情報を決定する処理フローチャートである。受信端末１００は、ＧＰＳアンテナ１３０を介して予め定められた設定時間毎に受信端末１００の位置情報を取得する（ステップＳ４０１）。次に、受信端末１００は、図５のテーブルを参照して、取得した位置情報に基づいて受信端末の地理的な位置を特定して受信端末の地理情報を決定する（ステップＳ４０２）。次に、受信端末１００は、地理情報を制御サーバに送信する（ステップＳ４０３）。
【００５６】
次に、受信端末の再生制限について説明する。図１１は、受信端末の再生制御の処理フローチャートである。受信端末１００は、予め定められた期間内に定期的に地理情報を新たに取得し、新たな地理情報を取得した場合（ステップＳ５０１のＹＥＳ）、取得した新たな地理情報に基づく番組データの再生制限が必要かどうかを判断する（ステップＳ５０２）。受信端末１００は、新たな地理情報に基づいて番組データの再生制御が必要であると判断した場合（ステップＳ５０２のＹＥＳ）、番組データの出力制御を行う（ステップＳ５０３）。これによってラジオ放送番組データを受信した後において受信端末１００が移動した場合でも番組データの生成制限を行うことができる。
【００５７】
次に、音源配信サーバ２００の処理について説明する。図１２は、音源配信サーバの処理フローチャートである。ラジオ放送データの送出サーバ方式は、リアルタイム・プログレッシブ方式、ＲＴＳＰストリーミングサーバ方式がある。ここではリアルタイム・プログレッシブ方式を採用した場合の処理について説明する。
【００５８】
音源配信サーバ２００は、受信端末１００からのＨＴＴＰファイルの要求を待つ（ステップＳ６０１）。このとき、受信端末は、音源配信サーバ２００側の最新ファイル情報を参照し、音源配信サーバ２００の最新ファイルを要求する。音源配信サーバ２００は、要求に従いＨＴＴＰファイルを受信端末１００に送信する（ステップＳ６０２）。このとき、音源配信サーバ２００は、ファイル名を６桁「００００００」〜「９９９９９９」とし、「９９９９９９」の次は、「００００００」に戻るようにし、ＮＥＸＴファイルの判定は「最後に取得したファイルより、値が大きいもの。」を利用し、ファイルは５つ程度を常に持ち、不要となった過去のファイルは自動的に削除するようにする。
【００５９】
受信端末１００は、２〜３ファイルを受信したら、ギャップレス再生を行う。そして、受信端末１００は、裏では次々とファイルを受信する。音源配信サーバ２００は、全てのＨＴＴＰファイルを送信したら、処理を終了する（ステップＳ６０３のＹＥＳ）。
【００６０】
次に、携帯電話の基地局情報を用いた地理情報判定テーブルについて説明する。図１３は、地理情報判定テーブルの他の例である。この地理情報判定テーブルは受信端末１００のＭＰＵ１２４内に予め格納されている。携帯電話の基地局の位置は予め分かっているため、受信端末１００が利用している携帯電話の基地局から受信端末１００のおおよその位置を特定することができる。この地理情報判定テーブルは、地理情報（地域Ａ〜地域Ｚ）と携帯電話の基地局情報とが関連付けられている。
【００６１】
受信端末１００は、アンテナ１０１を介して利用している基地局の情報を取得し、この基地局情報を位置情報として利用して図１３の地理情報判定テーブルを参照して、受信端末１００の地理情報を決定する。例えば、受信端末１００は、現在、基地局Ａ１を利用している場合には、受信端末１００は、地域Ａにいると判断し、地域Ａの地理情報を選択する。
【００６２】
次に、ルーターのＩＰアドレスを用いた地理情報判定テーブルについて説明する。図１４は、地理情報判定テーブルの他の例である。この地理情報判定テーブルは受信端末１００のＭＰＵ１２４内に予め格納されている。ルーターのＩＰアドレスより受信端末１００が利用しているルーターから受信端末１００のおおよその位置を特定することができる。この地理情報判定テーブルは、地理情報（地域Ａ〜地域Ｚ）とルーターのＩＰアドレスとが関連付けられている。
【００６３】
受信端末１００は、アンテナ１０１を介して利用しているルーターのＩＰアドレスを取得し、このＩＰアドレスを位置情報として利用して地理情報判定テーブルを参照して、受信端末１００の地理情報を決定する。例えば、受信端末１００は、現在利用しているルーターのＩＰアドレスが地域Ａに対応するＩＰアドレスの範囲内にある場合には、受信端末１００は、地域Ａにいると判断し、地域Ａの地理情報を選択する。
【００６４】
次に、ルーターの設置位置を用いた地理情報判定テーブルについて説明する。
図１５は、地理情報判定テーブルの他の例である。この地理情報判定テーブルは受信端末１００のＭＰＵ１２４内に予め格納されている。ルーターの設置位置は予め分かっているため、受信端末１００が利用しているルーターから受信端末１００のおおよその位置を特定することができる。この地理情報判定テーブルは、地理情報（地域Ａ〜地域Ｚ）とルーターの設置位置とが関連付けられている。
【００６５】
受信端末１００は、アンテナ１０１を介して利用しているルーターを特定し、このルーターの設置位置から図１５の地理情報判定テーブルを参照して、受信端末１００の地理情報を決定する。例えば、受信端末１００は、現在利用しているルーターが地域Ａに対応している場合には、受信端末１００は、地域Ａにいると判断し、地域Ａの地理情報を選択する。
【００６６】
次に、地域の境界の判定処理について説明する。図１６は地域の境界の判定処理について説明するための図、（ａ）は地域をグリッド状に区分けした場合の判定方法を説明する図、（ｂ）は地域を受信端末１００の現在位置を中心とした円により判定する場合の図である。尚、ここではＧＰＳからの位置情報を利用した場合の例である。
【００６７】
同図（ａ）に示すように、所定の地域をグリッド状に区分けしている。受信端末１００は、ＧＰＳアンテナ１３０を介して受信端末の位置情報を取得する。受信端末１００は、取得した受信端末の位置情報からグリッド内の位置を特定する。受信端末１００は、特定されたグリッドに対応する地理内に受信端末１００が存在すると判定して地理情報を決定する。地域の境を判定するのにグリッドを利用することで、詳細な地域を特定することができる。
【００６８】
図１６（ｂ）に示すように、受信端末１００は、ＧＰＳアンテナ１３０を介して受信端末の位置情報を取得する。受信端末１００は、取得した受信端末の位置情報を円の中心として該円内に対応する地理内に受信端末が存在すると判定して地理情報を決定する。例えば、受信端末１００は、受信端末の位置がＸ１の場合、受信端末の位置Ｘ１を円の中心として該円Ｐ１内に対応する地理内に受信端末１００が存在すると判定して地理情報を決定する。受信端末の位置を円の中心として地域の境を判定することで、特定の地域内判定の処理を早くすることができる。
【００６９】
以上、本発明の好ましい実施例について詳述したが、本発明に係る実施例に限定されるものではなく、特許請求の範囲に記載された本発明の要旨の範囲内において、種々の変形、変更が可能である。尚、受信端末１００は、地理情報取得手段、リスト取得手段、番組表取得手段、再生制御手段として機能する。本発明の受信端末の制御方法は、受信端末１００によって実行される。また制御サーバ４００は、入力手段、放送局記憶手段、地理情報取得手段、リスト送信手段および番組表送信手段として機能する。放送提供方法の各ステップは制御サーバ４００によって実行される。
【符号の説明】
【００７０】
１  放送提供システム
１００  受信端末
１２４  ＭＰＵ
１３０  ＧＰＳアンテナ
２００  音源配信サーバ
３００  放送局ＷＥＢサーバ
４００  制御サーバ
【図１】
2010268403.tif 000003
【図２】
2010268403.tif 000004
【図３】
2010268403.tif 000005
【図４】
2010268403.tif 000006
【図５】
2010268403.tif 000007
【図６】
2010268403.tif 000008
【図７】
2010268403.tif 000009
【図８】
2010268403.tif 000010
【図９】
2010268403.tif 000011
【図１０】
2010268403.tif 000012
【図１１】
2010268403.tif 000013
【図１２】
2010268403.tif 000014
【図１３】
2010268403.tif 000015
【図１４】
2010268403.tif 000016
【図１５】
2010268403.tif 000017
【図１６】
2010268403.tif 000018